(57)【要約】      （修正有）【課題】垢すりサービス中に利用者が寒さを感じず、漏電も防止できる垢すりベットを提供する。【解決手段】垢すりベットは、内部に温水通路１１を設けた床板１２、床板１２の上・側面を覆う防水シート１３、および床板１２を支持する脚１４を有するベット本体１と、水を加熱する加熱手段と温水を循環させるための循環ポンプとを内部に配設し、温水往チューブ２７および温水還チューブ２８により温水通路１１に接続される温水循環装置２とを備える。温水通路１１を温水が通過するため床板１２が昇温して身体を温めるため、利用者は、垢すりサービス中に寒さを感じない。また、床板１２内の温水通路１１へ温水を流す構造であるので漏電が防止できる。【選択図】図１
0003187309.tif 000002
【実用新案登録請求の範囲】
【請求項１】
内部に温水通路を有し身体を横たえるための床板、該床板の上面および側面を覆う防水シート、および該床板の下面に上端が固定され前記床板を支持する複数本の脚を有するベット本体と、
水を加熱する加熱手段と温水を循環させるための循環ポンプとを内部に配設し、温水往チューブおよび温水還チューブにより前記温水通路に接続される温水循環装置とを備え、  前記循環ポンプ、前記加熱手段、前記温水往チューブ、前記温水通路、および温水還チューブを環状に接続して温水循環路を形成した垢すりベット。
【請求項２】
温水通路は、九十九折り状に床板内部に形成されていることを特徴とする請求項１に記載の垢すりベット。
【考案の詳細な説明】
【技術分野】
【０００１】
本考案は、大規模銭湯等に併設された高湿度の垢すり部屋に設置され、横たえた利用者の身体を垢すり者が擦って垢を取る垢すりベットに関する。
【背景技術】
【０００２】
特許文献１には、アカスリ具を取り付けた移動台車を移動させる背中のゴシゴシ機が開示されている。
【先行技術文献】
【特許文献】
【０００３】
【特許文献１】特開２００３−２９００７０号公報
【考案の概要】
【考案が解決しようとする課題】
【０００４】
上記特許文献１は、下記の課題を有する。
背中のゴシゴシ機を高湿度の垢すり部屋に設置した場合に漏電の可能性があるとともに、利用者が寒さを感じる。
【０００５】
本考案の目的は、垢すりサービス中に利用者が寒さを感じず、漏電も防止できる垢すりベットの提供にある。
【課題を解決するための手段】
【０００６】
（請求項１について）
垢すりベットは、ベット本体と温水循環装置とを備え、高湿度の垢すり部屋に設置される。
ベット本体は、内部に温水通路を有し、身体を横たえるための床板と、床板の上面および側面を覆う防水シートと、床板を支持する複数本の脚とを備える。
温水循環装置は、水を加熱する加熱手段と温水を循環させるための循環ポンプとを内部に配設し、温水往チューブおよび温水還チューブにより温水通路に接続している。
温水循環路は、循環ポンプ、加熱手段、温水往チューブ、温水通路、および温水還チューブを環状に接続して形成されている。
【０００７】
水が温水循環装置の加熱手段で加熱され、循環ポンプにより温水循環路内に水流が発生するため、湯は、温水往チューブを通って床板内部の温水通路へ至り、温水還チューブを通って温水循環装置へ戻る。
【０００８】
湯は、床板内部の温水通路を通過する際に、床板上に横たえた利用者の身体を防水シートを介して温める。このため、利用者は、垢すりサービス中に寒さを感じない。
ベット本体の床板内部の温水通路へ温水を流す構造であるので漏電が防止できる。
【０００９】
（請求項２について）
湯が通過する温水通路を、九十九折り状に床板内部に形成しているので、床板の表面が均一的に昇温する。
このため、床板上に横たわった利用者の身体を均一的に温めることができる。
【図面の簡単な説明】
【００１０】
【図１】本考案の実施例１に係る垢すりベットの説明図である。
【図２】その垢すりベットの説明図である。
【実施例１】
【００１１】
本考案の実施例１（請求項１、２に対応）にかかる垢すりベットＡを図１および図２に基づいて説明する。
垢すりベットＡは、ベット本体１と温水循環装置２とを備え、高湿度の垢すり部屋３に設置される。
【００１２】
ベット本体１は、内部に温水通路１１を有し、身体を横たえるための床板１２（金属製）と、床板１２の上面および側面を覆う防水シート１３と、床板１２を支持する四本の脚１４（金属製）と、脚１４間を連結する補強材１５（金属製）とを備える。
【００１３】
温水循環装置２は、商用電源（ＡＣ−１００Ｖ）を使った電熱ヒータで水を加熱する加熱手段２１と、温水を循環させるための循環ポンプ２２と、温水循環制御器２３とをケーシング２０の内部に配設している。
ケーシング２０には、作動開始・停止を行うための電源スイッチ２４と、作動時間を設定するためのタイマー設定摘み２５と、温水温度を設定する温度設定摘み２６とが配設され、各摘みには可変抵抗器が連結されている。なお、電源スイッチ２４および可変抵抗器は、温水循環制御器２３に電気接続されている。
【００１４】
電源スイッチ２４および可変抵抗器は、温水循環制御器２３に電気接続され、循環ポンプ２２および加熱手段２１を温水循環制御器２３が制御する。
温水往チューブ２７および温水還チューブ２８により、温水循環装置２とベット本体１の温水通路１１とが接続されている。なお、温水往チューブ２７および温水還チューブ２８は、被覆帯ｈにより被覆されている。
【００１５】
温水循環路２９は、循環ポンプ２２、加熱手段２１、温水往チューブ２７、温水通路１１、および温水還チューブ２８を環状に接続して形成される。
温水通路１１は、良熱電導性の中空チューブを九十九折り状に床板１２内に埋設して形成されている。
【００１６】
本実施例の垢すりベットＡは、以下の様に使用する。
温水通路１１のケーシング２０内へ水投入口ｗから水を入れておく。
電源コードのプラグｐをコンセントに差し込み、温度設定摘み２６で温水温度（例えば４５℃）を設定し、タイマー設定摘み２５で作動時間（例えば９０分間）を決め、電源スイッチ２４を投入する。
【００１７】
循環ポンプ２２により温水循環路２９内に水流が発生し、水が加熱手段２１を通過する際に昇温する。
この温水は、温水往チューブ２７、ベット本体１の温水通路１１、温水還チューブ２９、循環ポンプ２２の順に温水循環路２９内を巡り、加熱手段２１へ戻る。
【００１８】
温水通路１１を温水が通過するため、床板１２が温められる。
垢すりを希望する利用者に、床板１２の上面へ横たわってもらい、垢すり作業を行う。  
【００１９】
本実施例の垢すりベットＡは、以下の利点を有する。
ベット本体１の温水通路１１を温水が通過するため床板１２が昇温し、床板１２上に横たわった利用者の身体を防水シート１３を介して温める。このため、利用者は、垢すりサービス中に寒さを感じない。
ベット本体１の床板１２内の温水通路１１へ温水を流す構造であるので漏電が防止できる。
【００２０】
温水が通過する温水通路１１を、九十九折り状に床板１２の内部に形成しているので、床板１２の表面が均一的に昇温する。
このため、床板１２上に横たわった利用者の身体を均一的に温めることができる。
【産業上の利用可能性】
【００２１】
垢すりベットは、内部に温水通路を有し複数本の脚で支持される床板ベット本体と、水を加熱する加熱手段と温水を循環させるための循環ポンプとを内部に配設し、温水往チューブおよび温水還チューブにより温水通路に接続される温水循環装置とを備える。
温水が温水通路１１を通過して床板１２を加熱するので、垢すり作業中、床板上面の利用者が寒さを感じない。
【符号の説明】
【００２２】
１  ベット本体
２  温水循環装置
１１  温水通路
１２  床板
１３  防水シート
１４  脚
２１  加熱手段
２２  循環ポンプ
２７  温水往チューブ
２８  温水還チューブ
２９  温水循環路
【図１】
0003187309.tif 000003
【図２】
0003187309.tif 000004